(57)【要約】【課題】モジュールに外圧がかかったときに複数の単電池を外部短絡させることが可能な二次電池モジュールを提供することを目的とする。【解決手段】二次電池モジュール１では、正極端子１１および負極端子１２を有する複数の単電池１０が配列されている。複数の単電池１０の配列方向の全端子と接触可能な導電部１０１と、導電部１０１と係合して保持することにより導電部１０１を正極端子１１および負極端子１２から離隔した位置で保持するストッパ１０２とを備える。二次電池モジュール１が圧縮されたときに、ストッパ１０２と導電部１０１との係合が解除されて導電部１０１が複数の単電池１０の配列方向のすべての正極端子１１および負極端子１２と接触する。【選択図】図１
2015153511.tif 000002
【特許請求の範囲】
【請求項１】
端子を有する複数の単電池が配列された二次電池モジュールであって、
前記複数の単電池の配列方向の全端子と接触可能な導電部と、
前記導電部と係合することにより前記導電部を前記端子から離隔した位置で保持するストッパとを備え、
前記二次電池モジュールが圧縮されたときに前記ストッパと前記導電部との係合が解除されて前記導電部が前記複数の単電池の配列方向の全端子と接触する、二次電池モジュール。
【発明の詳細な説明】
【技術分野】
【０００１】
この発明は二次電池モジュールに関し、より特定的には複数の単電池を有する二次電池モジュールに関するものである。
【背景技術】
【０００２】
従来、二次電池モジュールは、たとえば特開２０１１−６０６５１号公報（特許文献１）、特開２０１１−４０３６８号公報（特許文献２）および特開２０１１−９０４２号公報（特許文献３）に開示されている。
【先行技術文献】
【特許文献】
【０００３】
【特許文献１】特開２０１１−６０６５１号公報
【特許文献２】特開２０１１−４０３６８号公報
【特許文献３】特開２０１１−９０４２号公報
【発明の概要】
【発明が解決しようとする課題】
【０００４】
特許文献１では、二次電池の組電池において、所定の単セルと、他の単セルと、導電性抵抗部材とは、所定の単セルの容器が膨らんだ際に、導電性抵抗部材を介して他の単セルと電気的に接続され、所定の単セルが短絡するように設置されている。
【０００５】
このような二次電池では、モジュールに外圧がかかった際に、モジュール内のセル（単電池）が圧縮されて変形し、破壊限界に達したときに内部短絡が生じる。その結果、電池が発熱する虞があった。
【０００６】
そこで、この発明は上述のような問題点を解決するためになされたものであり、モジュールに外圧がかかったときに複数の単電池を外部短絡させることが可能な二次電池モジュールを提供することを目的とする。
【課題を解決するための手段】
【０００７】
この発明に従った二次電池モジュールは、端子を有する複数の単電池が配列された二次電池モジュールであって、複数の単電池の配列方向の全端子と接触可能な導電部と、導電部と係合することにより導電部を端子から離隔した位置で保持するストッパとを備え、二次電池モジュールが圧縮されたときにストッパと導電部との係合が解除されて導電部が複数の単電池の配列方向の全端子と接触する。
【０００８】
このように構成された二次電池モジュールにおいては、二次電池モジュールが圧縮されたときにストッパと導電部との係合が解除されて導電部が複数の単電池の配列方向の全端子と接触するため、確実に複数の単電池を短絡させることができる。
【発明の効果】
【０００９】
確実に複数の単電池を短絡させることができる二次電池モジュールを提供することができる。
【図面の簡単な説明】
【００１０】
【図１】実施の形態１に従った、複数の単電池を有する二次電池モジュールの斜視図である。
【図２】実施の形態１に従った二次電池モジュールの平面図である。
【図３】実施の形態１に従った二次電池モジュールの正面図である。
【図４】実施の形態１に従った二次電池モジュールの右側面図である。
【図５】実施の形態１に従った二次電池モジュールの左側面図である。
【図６】実施の形態１に従った二次電池モジュールにおいて各々の単電池が外部短絡した状態を示す図である。
【図７】図６で示す実施の形態１に従った二次電池モジュールの正面図である。
【図８】図６で示す実施の形態１に従った二次電池モジュールの右側面図である。
【図９】図６で示す実施の形態１に従った二次電池モジュールの左側面図である。
【図１０】実施の形態２に従った、複数の単電池を有する二次電池モジュールの斜視図である。
【図１１】実施の形態２に従った二次電池モジュールの平面図である。
【図１２】実施の形態２に従った二次電池モジュールの正面図である。
【図１３】実施の形態２に従った二次電池モジュールの右側面図である。
【図１４】実施の形態２に従った二次電池モジュールの左側面図である。
【発明を実施するための形態】
【００１１】
以下、この発明の実施の形態について図面を参照して説明する。なお、以下の実施の形態において、同一または相当する部分については同一の参照符号を付し、その説明については繰返さない。
【００１２】
（実施の形態１）
図１から図５を参照して、二次電池モジュール１では、正極端子１１および負極端子１２を有する複数の単電池１０が配列されている。複数の単電池１０の配列方向の全端子と接触可能な導電部１０１と、導電部１０１と係合して保持することにより導電部１０１を正極端子１１および負極端子１２から離隔した位置で保持するストッパ１０２とを備える。
【００１３】
二次電池モジュール１が圧縮されたときに、ストッパ１０２と導電部１０１との係合が解除されて導電部１０１が複数の単電池１０の配列方向のすべての正極端子１１および負極端子１２と接触する。
【００１４】
各々の単電池１０は互いに距離を隔てて配列されている。各々の単電池１０の最も面積の大きい側面が互いに対向するように複数の単電池１０が配列されている。単電池１０の正極端子１１が隣接する単電池１０の負極端子１２と対向して配置されている。そして正極端子１１と負極端子１２とをバスバー１３が接続している。これにより、複数の単電池１０が直列に接続されている。
【００１５】
複数の単電池１０の積層方向の端部にはエンドプレート３０，４０が配置されている。エンドプレート３０，４０は互いに対向するように配置されており、エンドプレート３０，４０の間の空間に複数の単電池１０が配列されている。
【００１６】
図２から図５は、図１で示す二次電池モジュールの左右を反転させた図である。すなわち図１では、ストッパ１０２が二次電池モジュール１の左側に設けられているが、図２では、二次電池モジュール１の右側にストッパ１０２が設けられている。
【００１７】
単電池１０の形状としては、角型のものだけでなく、丸型のものであってもよい。さらに複数の単電池１０が直列に接続される場合に限られず並列に接続されてもよい。また、直列の接続と並列の接続とが併用されていてもよい。
【００１８】
図１から図５で示す状態では、外部短絡バーとしての導電部１０１が単電池１０の正極端子１１および負極端子１２から離隔した位置に保持されている。導電部１０１は押出部１０４により付勢されている。押出部１０４の一方端は突起１０３に接続されており他方端が導電部１０１に接続されており、導電部１０１が正極端子１１および負極端子１２に近づく方に付勢している。
【００１９】
図６から図９を参照して、エンドプレート４０に矢印５０で示す方向の圧縮力が加わるとエンドプレート４０がエンドプレート３０へ近付く方向へ移動する。これによりストッパ１０２と導電部１０１との係合が外れる。その結果押出部１０４によって付勢された導電部１０１が矢印１０５で示す方向に回動する。すると導電部１０１が正極端子１１および負極端子１２と接触することですべての単電池１０を外部短絡させ、内部短絡を抑制することができる。その結果、外部短絡によりすべての単電池１０の内部エネルギが外部に放出される。
【００２０】
（実施の形態２）
図１０から図１４を参照して、実施の形態２に従った二次電池モジュール１では、２つの導電部１０１が設けられている点で、実施の形態１に従った二次電池モジュールと異なる。なお、図１１は、図１０の二次電池モジュールを左右反転させた図である。このように、２つの導電部１０１を設けることで、より確実に正極端子１１および負極端子１２を短絡させることができる。
【００２１】
すなわち１つの導電部１０１のみが設けられていた場合に、この導電部１０１が正常に作動しなかった場合にはすべての単電池１０を短絡させることが困難である。これに対して、２つの導電部１０１を設けることで、より確実にすべての単電池１０を外部短絡させることが可能となる。
【００２２】
以上、ここで示した実施の形態はさまざまに変形することが可能である。まず、導電部１０１として外部短絡バーを用いたが、このバーの形状は直線状だけでなく、曲線状であってもよい。また各々の正極端子１１および負極端子１２を受入れるような窪みが導電部１０１に設けられていてもよい。
【００２３】
また単電池１０はリチウム二次電池だけでなく、他のさまざまな二次電池であってもよい。
【００２４】
さらに二次電池モジュール１は、車載用、据置用、携帯用などのさまざまな用途で用いることができる。
【００２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
この発明は、複数の単電池を有する二次電池モジュールの分野において用いることができる。
【符号の説明】
【００２７】
１  二次電池モジュール、１０  単電池、１１  正極端子、１２  負極端子、１３  バスバー、３０，４０  エンドプレート、５０，１０５  矢印、１０１  導電部、１０２  ストッパ、１０３  突起、１０４  押出部。
【図１】
2015153511.tif 000003
【図２】
2015153511.tif 000004
【図３】
2015153511.tif 000005
【図４】
2015153511.tif 000006
【図５】
2015153511.tif 000007
【図６】
2015153511.tif 000008
【図７】
2015153511.tif 000009
【図８】
2015153511.tif 000010
【図９】
2015153511.tif 000011
【図１０】
2015153511.tif 000012
【図１１】
2015153511.tif 000013
【図１２】
2015153511.tif 000014
【図１３】
2015153511.tif 000015
【図１４】
2015153511.tif 000016